(57)【要約】      （修正有）【課題】真空断熱材を用いることで、コンパクトで効率のよい蓄熱槽を提供する。【解決手段】貯湯槽の外周に１重又は２重の真空部３０、３１を設け、その真空部に重ねて断熱材を同時に封入することで蓄熱槽としての機能を増加させ、本機能の蓄熱部から外部への放熱を防止する目的の為に１箇所又は２箇所の隙間で形成する真空部にガラスウールやポリエステル断熱材、ウレタンフォ-ム又はシリカ入り真空断熱材等の断熱材及びアルミ箔等の反射複合材を同時に挿入して真空化する事で、大気へのエネルギーの放出・放射・ふく射を防止すると共に浄水湯や水道水の供給及び取り出し時のように、必要以外の時は、外部に出しておく事で、伝熱防止を計ると共に装置全体からの放射・副射を防止して長期間での使用に耐え、コスト低減やCO2削減、低炭素化への対策とする第２深夜電力使用の装置とした。【選択図】図１
2012149814.tif 000002
【特許請求の範囲】
【請求項１】
浴槽１から汲み上げたお湯２をセラミック膜フィルターケース５のセラミック膜フィル
ターで超精密ろ過しながら、浴槽外に蓄える方式において、ツバ付中央槽１６の外周外側を反射板付ガラスウール３２と同時に真空隙間Ａ２６を持つ真空部Ａ３０を持ち、かぶさる形でツバ付第２槽１５が設けられ、このツバ付第２槽１５の外周外側を反射板付ガラスウール４５と同時に真空隙間Ｂ２７を持った真空部Ｂ３１がかぶさる形でツバ付第３槽１３が設けられ、前記ツバ付中央槽１６及びツバ付第２槽１５そしてツバ付第３槽１３で構成された３槽の上槽部の各上端に設けられたツバ部に対応して、それぞれツバ付中央槽用上槽板１９及びツバ付第２槽用上槽板２０そしてツバ付第３槽用上槽板２１がパッキンを挟んで結合出来るようになっており、上槽部に対応した上槽板とが一体形にでき、上槽部板の中心に設けられた中心穴の前記上槽各板の間に、２枚の樹脂板を挟み込んで２箇所の真空隙間が形成出来るように２枚の樹脂板に前記一体形成後に、真空抜きが行なえるように上方中央開放部２８以外の２箇所に空気抜用銅製パイプＡ４９及び空気抜用銅製パイプＢ５０が設けられ、真空抜き後パイプをカシメて前述の二箇所の真空隙間を形成させ、前記上方中央開放部２８の上方部穴を塞ぐように片持支持の安全弁付フロート弁２２が設けられている、上方部のみ開放支持形を特徴とする蓄熱式Ｗ真空第２深夜電力給湯器。
【請求項２】
前述請求項１の浴槽１の外に蓄えるツバ付中央槽１６の保温構造において、タンク上方部に設ける湯口支持台８を上下する構造の為に、ツバ付第３槽用上槽板２１に断熱材を挟んで上方煙突状スライド支持台１８が固定され内部を湯口支持台８が自由に上下出来るように、最上方にギャードモーター１４が回転用ネジ棒５４に連結され上下用ナット５５により正転・逆転で上下に移動でき、その下方に収納された多芯スパイラルチュ-ブ５６に必要な要素部品を内蔵させて湯口支持台８の動きに追随して伸宿できる事で外部に取り出せれる事を特徴とする蓄熱式Ｗ真空第２深夜電力給湯器。
【請求項３】
前述請求項１、請求項２の浴槽１の外に蓄えるツバ付中央槽１６の保温構造において、タンクに蓄える収納浄水湯２４の湯量を湯温検知付水位高さセンサー４０により、湯口支持台８の先端から少し離れた位置に設けたパイプヒーター３５による加熱部分と、そのそばに設けた水道先端口元パイプ４４により水道水の補充で収納浄水湯２４の湯面の高さを必要に応じてコントローラーで調整出来、湯口支持台８の先端部に設けたシリコン笠状つば板３４により上下する事で、かき回し効果により湯温が均一になる様に湯口支持台８の先端に設けた温度センサー４３及び水検知センサー５により観測しながら上下し、排湯ホース２３の先端口元が湯中に在る事を確認して排湯の必要に応じてエアー用ホース１０からのエアー供給で湯面を押して排湯することを特徴とする蓄熱式Ｗ真空第２深夜電力給湯器。
【請求項４】
前記請求項１、請求項２、請求項３の内で、浴槽１へのお湯２の供給を水道用ホース３７からの水道水の水圧を利用する方式では、ツバ付中央槽１６の中の浄水湯２４の下方下端より水道先端口元パイプ４４により水道水を供給してタンクを満水時、排湯出来ることを特徴とする蓄熱式Ｗ真空第２深夜電力給湯器。
【請求項５】
前記請求項１から請求項４の内で、浴槽１へのお湯２の供給を、最初にツバ付中央槽１６の容量の数１０％以内に規制する事で、事前に水道水投入でタンク内の湯温を均一化後必要湯温に出来る方法にするか、または、追加水道水の投入をせずに湯温を９０℃から６５℃の温度の任意湯温に設定して湯温を均一化処理後、排湯ホース２３の途中にモーター強弱作動式サーモスタット付混合栓５８で水道水を付加して、必要湯温に調節して浴槽１へお湯２として供給出来ることをコントローラーで設定出来ることを特徴とする蓄熱式Ｗ真空第２深夜電力給湯器。
【発明の詳細な説明】
【技術分野】
【０００１】
本発明は、貯湯槽の外周に１重又は２重の真空部を設け、その真空部に重ねて断熱材を同時に封入することで蓄熱槽としての機能を増加させ、本機能の蓄熱部から外部への放熱を防止する目的の為に１箇所又は２箇所の隙間で形成する真空部にガラスウールやポリエステル断熱材、ウレタンフォ-ム又はシリカ入り真空断熱材等の断熱材及びアルミ箔等の反射複合材を同時に挿入して真空化する事で、大気へのエネルギーの放出・放射・ふく射を防止すると共に浄水湯や水道水の供給及び取り出し時は、必要以外の時は、外部に出しておく事で、伝熱防止を計ると共に装置全体からの放射・副射を防止して長期間での使用に耐え、コスト低減やCO2削減、低炭素化への対策とする第２深夜電力使用の装置を提供せんとするものである。
【背景技術】
【０００２】
従来、給湯器としての機能を持たせる為、一般的には、タンクの下方から水道水を投入して、加熱する事で、熱水が上方に溜まる事で、この熱水を上方から排出管を設けて、外部に取り出す方式が大多数であり、特許第３７２９８９７号、特開２００１−１１６３６７号公報もこの方式である。
【０００３】
この為、長時間加熱すればする程お風呂の場合、上層部は、熱水になるが、下層部の下方には冷たい水のままという現象がある事は日常みられ、下方と上方との温度差の大きい事は、体験済みであり、この場合は、人力でかき回し棒を使ってかくはんすることとなる。
【０００４】
このことは、加熱機構がどうであれ、上部は熱水でも下方は冷水では、タンク内部で貯湯中、絶えず熱の移動が起こって熱効率が下がるだけでなく、その熱がタンクの壁にも伝わって熱の移動が起こりやすく断熱材の効果も低下しやすい課題もある。
【０００５】
一方、細菌やウィルスの死滅する６５℃から９０℃にする高温湯にすると、出湯中の途中で水道水との混合の出来るモーター強弱作動式サーモスタット付混合栓５８で必要な湯温の４５℃前後の出湯にすれば、タンク容量は、小さく出来るメリットは大きい。
【０００６】
この事から、タンクの加熱中のタンク容量いっぱいを必要温度の浴槽のお湯で蓄えておくのは、本発明のような２重真空と２重断熱の同時実施のタンクの使用効率から考えてもよい事であると共に工業的に見ても、狙い通りの必要温度の液温で指定量だけ均一な液体として蓄えれる蓄熱槽および液体製造機としての機能は、非常に有用である。
【０００７】
この事から、本発明は、風呂のみでなく産業界全般で見ても非常に有用な技術ではあるが、こんご民生用の風呂は、特に数も多く、今後原子力発電化が進むと破棄される第２深夜電力の活用という意味では、世界的に見ても、世界的な課題であるＣＯ2削減、低炭素化技術の使用方法の多様化の意義は大きいと考えている。
【０００８】
このことから、タンクの加熱中の満水時にも、上方は熱く下方は冷水のままという現象は、不都合であり、本発明に対して、一般的には、上方熱水を外部に水道水の減圧した２〜３気圧程度で送り出す機能の為、どんな温度になるのか不確実であることが考えられ、本発明品のように保温機能が充実した蓄熱式の断熱材封入のダブル２重真空機構タンクでは、タンク内の湯温をなるべく均一な温度にしておく方が、保温という点でのぞましいと思われる。
【０００９】
この為、タンク上方部のみを、開放出来る構造の本発明では、この湯口支持台８を上下する事をコントローラーで規制することで、タンク内部のパイプヒーター３５で加熱中や外部に排湯ホース２３でお湯を取り出し中でも、上下する事でタンク内部の自由な設定温度で湯温をかき回し効果で均一化が可能になる。
【００１０】
又、水道水をタンク内に満水にすることでも、上方部のお湯を取り出す事も出来るが、コントローラーにより湯口支持台８に組み込まれたエアーホース１０のエアーの空気圧でも水道水の変わりに湯口支持台８の下降時に湯口支持台８の先端に設けた排湯ホース２３が水面より下方にあればお湯の取り出しも可能としている。
【００１１】
又、湯口支持台８を上下する場合、コントローラーで湯面からのパイプヒーター３５の高さや深さも上下センサーである下限センサー４８、中限センサー４７、上限センサー４６によりコントロールすれば、水道水の投入タイミングや必要に応じてエアーホース１０からのエアー投入もタイミングがわかる。
【００１２】
このように、湯口支持台８の先端に設けた排湯用ホース２３の高さが、タンク内の下方部にまでとどけば、水道用ホース３７から補給される水道水により
タンク内が満水になれば、排湯用ホース２３から取り出される湯は、その途中に設けたモーター強弱作動式サーモスタット付混合栓５８で水道用電磁バルブ１１でコントロールした水道水のお湯を排水一方向圧力バルブ３９を介して浴槽１にお湯２として投入され、コントローラーの働きで湯口支持台８やその先端部に設けた湯が通りやすくする穴を設けたシリコン笠状ツバ板３４により、上下動によるかき回し効果のお湯の遥動現象でお湯の均一な設定温度により利用可能となる。
【先行技術文献】
【特許文献】
【００１３】
【特許文献１】特許第４５７１７０３号
【特許文献２】特許第３８２２５４３号
【特許文献３】実用新案第３１２３４７３号公報
【特許文献４】実用新案第３１２３４５６号公報
【特許文献５】特許第3729897号
【特許文献６】特開２００１−１１６３６７号公報
【発明の概要】
【発明が解決しようとする課題】
【００１４】
本発明は、世界的な命題であるＣＯ2の削減という課題にたいして、日本での給湯に対する電力での加熱方式では、深夜電気温水器、エコキュート（登録商標）があるが、これから２０３０年を目標に原子力発電を中部電力では５０パーセントにするとの事であるが、使用量が激減する午前１時から午前６時の第２深夜電力の５時間を重点的に使用できることによる電力負荷平準化による無駄の除去は、
従来の水道水の下方からの水圧を利用する方式では困難な機構を真空断熱材併用の蓄熱槽化によりコンパクトで効率のよい商品を開発することを目的にするものである。
【００１５】
特に、この発明の課題としているものでは、装置が大きくなりやすい、深夜電気温水器やエコキュートには、内部に貯湯する方法や湯を取り出す方法に問題が有り、如何にしても図体がおおきくなる。
【００１６】
この為に、本発明では、特許第４５７１７０３号の構造の１重または２重の真空構造のうえに、さらに、その真空隙間に同時に最適な断熱材を封入する事で一層の保温効果をねらうものであり、従来の上記商品の欠点でもある上方部は熱水でも下方部は冷水と言う欠点を持ち、非効率な保管湯を排除する課題対策発明である。
【００１７】
特に、貯湯中の湯温に関しては一般的な魔法瓶でも、ステンレス内装やステンレス内装から派生するステンレス外装と上方部プラスチック蓋との間に接触伝熱が発生して外気への放熱により貯湯の低下が激しく、これを防止するすることが課題であり、本発明の上方部に設けた湯口支持台８の出入りする上方部に対してツバ付中央槽１６との間に設ける安全弁付フロート弁２２だけで、開口部を通じてのみ大気との接触するという課題もある。
【００１８】
これは、従来の深夜電気温水器やエコキュートでの水道水を下方から直接投入したり、上方の熱湯を上方から直接取り出す事による伝熱放熱は、防止出来ず、この水道水投入方法及び熱湯取り出し構造は、エコキュートのような安価に湯を製造できる方式でも不経済であると思われる課題である。
【００１９】
又、上方部の熱湯と下方部での冷水というのは、使い勝手が悪いだけでなく湯温の不均一による保温上の不効率も熱の循環環境で考えられる課題である。
【００２０】
以上のような、課題をまとめると第１としては、中部電力では、午前１時から午前６時での５時間の第２深夜電力のみでの加熱のみでお湯というエネルギーとして必要な時刻まで保持できること。
第２としては、タンク容量でエネルギー分布的に効率の良いものであり、設置面積的に狭少の場所でも設置が搬入もふくめて容易である事。
【００２１】
第３としては、保温構造の向上で空気中への放熱防止・伝熱防止・放射防止  
拡散放熱防止の観点で考える。
第４としては、貯留槽タンク自体からの水漏れの防止。
第５としては、水道水の投入方法及びお湯の取り出し方法の改善。
第６としては、タンク内の、湯温の均一化。
第７としては、お湯の外部への取り出し方法の、ユーザーの好みでの多様化。
第８としては、ツバ付中央槽１６の大きさが決まっており、浴槽１及びその使いたいお湯使用量が、決めれないのは、不都合である。
第９としては、浴槽内で使用したお湯も安全に再使用出来る事も必要課題。
第１０としては、タンク内を高温のお湯で蓄えた場合、末端のお風呂場の蛇口にサーモスタット付混合栓でお湯を供給する場合、家屋のリフォームが必要になリ、工事費が高く、現状設置済みのお風呂への普及の妨げになる。
【課題を解決するための手段】
【００２２】
本発明は、請求項１として、浴槽１から汲み上げたお湯２をセラミック膜フィルターケース５のセラミック膜フィルターで超精密ろ過しながら、浴槽外に蓄える方式において、ツバ付中央槽１６の外周外側を反射板付ガラスウール３２と同時に真空隙間Ａ２６を持つ真空部Ａ３０を持ち、かぶさる形でツバ付第２槽１５が設けられ、このツバ付第２槽１５の外周外側を反射板付ガラスウール４５と同時に真空隙間Ｂ２７を持った真空部Ｂ３１がかぶさる形でツバ付第３槽１３が設けられ、前記ツバ付中央槽１６及びツバ付第２槽１５そしてツバ付第３槽１３で構成された３槽の上槽部の各上端に設けられたツバ部に対応して、それぞれツバ付中央槽用上槽板１９及びツバ付第２槽用上槽板２０そしてツバ付第３槽用上槽板２１がパッキンを挟んで結合出来るようになっており、上槽部に対応した上槽板とが一体形にでき、上槽部板の中心に設けられた中心穴の前記上槽各板の間に、２枚の樹脂板を挟み込んで２箇所の真空隙間が形成出来るように２枚の樹脂板に前記一体形成後に、真空抜きが行なえるように上方中央開放部２８以外の２箇所に空気抜用銅製パイプＡ４９及び空気抜用銅製パイプＢ５０が設けられ、真空抜き後パイプをカシメて前述の二箇所の真空隙間を形成させ、前記上方中央開放部２８の上方部穴を塞ぐように片持支持の安全弁付フロート弁２２が設けられている、上方部のみ開放支持形を特徴とする蓄熱式Ｗ真空第２深夜電力給湯器。
【００２３】
請求項２として、前述請求項１の浴槽１の外に蓄えるツバ付中央槽１６の保温構造において、その上方に設ける湯口支持台８を上下する構造の為に、ツバ付第３槽用上槽板２１に断熱材を挟んで上方煙突状スライド支持台１８が固定され内部を湯口支持台８が自由に上下出来るように、最上方にギャードモーター１４が回転用ネジ棒５４に連結され上下用ナット５５により正転・逆転で上下に移動でき、その下方に収納された多芯スパイラルチューブ５６に必要な要素部品を内蔵させて湯口支持台８の動きに追随して伸宿できる事で外部に取り出せれる事を特徴とする蓄熱式Ｗ真空第２深夜電力給湯器。
【００２４】
請求項３として、前述請求項１、請求項２の浴槽１の外に蓄えるツバ付中央槽１６の保温構造において、その中に蓄える収納浄水湯２４の湯量を湯温検知付水位高さセンサー４０により、湯口支持台８の先端から少し離れた位置に設けたパイプヒーター３５による加熱部分と、そのそばに設けた水道先端口元パイプ４４により水道水の補充で収納浄水湯２４の湯面の高さを必要に応じてコントローラーで調整出来、湯口支持台８の先端部に設けたシリコン笠状つば板３４により上下する事で、かき回し効果により湯温が均一になる様に湯口支持台８の先端に設けた温度センサー４３及び水検知センサー５により観測しながら上下し、排湯ホース２３の先端口元が湯中に在る事を確認して排湯の必要に応じてエアー用ホース１０からのエアー供給で湯面を押して排湯することを特徴とする蓄熱式Ｗ真空第２深夜電力給湯器。
【００２５】
請求項４として、前記請求項１、請求項２、請求項３の内で、浴槽１へのお湯２の供給を水道用ホース３７からの水道水の水圧を利用する方式では、ツバ付中央槽１６の中の浄水湯２４の下方下端より水道先端口元パイプ４４により水道水を供給してタンクを満水時、排湯出来ることを特徴とする蓄熱式Ｗ真空第２深夜電力給湯器。
【００２６】
請求項５として、前記請求項１から請求項４の内で、浴槽１へのお湯２の供給を、最初にツバ付中央槽１６の容量の数１０％以内に規制する事で、事前に水道水投入でタンク内の湯温を均一化後必要湯温に出来る方法にするか、追加水道水の投入をせずに湯温を９０℃から６５℃の任意温度に設定して湯温を均一化処理後、排湯ホース２３の途中にモーター強弱作動式サーモスタット付混合栓５８で水道水を付加して、必要湯温に調節して浴槽１へお湯２として供給出来ることをコントローラーで設定出来ることを特徴とする蓄熱式Ｗ真空第２深夜電力給湯器。
【００２７】
これらの課題に対して、手段としては、現在使用中のガス給湯器や石油による湯沸し法の給湯器を安価な装置を追加して、エコキュートや深夜電気温水器と同等程度の機能を付与することを目指すもので、お風呂でのエネルギー自体の節約でＣＯ２の排出を抑える為に、お風呂の貯湯を水道水と同等程度の水質になるように、セラミック膜フィルターによりろ過を行い、このお湯から外気へのエネルギーの逃避を防止する為に、ステンレス中心槽の外周への２段真空化とその形成方法として１段目及び２段目ともに隙間の真空化と反射板付きのガラスウール封入による２重の被覆で、万一真空が破れても対流現象やふく射現象が起こりにくくし、さらに中心槽及びその外周に設けるステンレス外装外壁を鏡面仕上げにする事と中に封入するガラスウールにもアルミ箔で反射させる２つの機能でふく射熱を小さくする機能を持たせる。
【００２８】
又、通常の魔法瓶方式と同じように、開口部には、水道水投入部、湯の取り出し口部の全てを、上方に設ける上方開放式の貯留槽にする方式のために、タンクそのものからの水漏れは、外周を２重の真空槽にする事で防止出来、伝熱放熱も防止出来る。
【００２９】
又、お湯を使用する時に、湯温が、コントローラーの表示温度にたいして、なるべく一定になるように、貯湯中でも必要に応じて湯口支持台８を上下出来る構造の為、下方の湯中で水検知センサー５７および温度センサー４３、湯温検知付水位高さセンサー４０で監視しながらパイプヒーター３５でコントローラーにもとずき加熱したり、加熱はせずに湯温野均一化だけの為に、上下だけする事や、湯温が高すぎる場合、水道水の投入で湯温を下げることも出来る。
【００３０】
又、従来の丸型にたいして、本発明品のような壁沿いに必要な奥行きが浅く狭いタイプも丸型より容積が自由に取れ、長方形状で上方開放形のタンク形状では、、今後設置されると思われる、お風呂場内部や脱衣場、洗濯場、台所等屋内でも有用なデザインであると考えられる。
【００３１】
この上方開放形の本発明品では、ツバ付中央槽１６のツバ部にパッキンを挟んでツバ付中央槽用上槽板１９で蓋をする形で固定し、その外周に設けるツバ付第２槽１５、さらに、その外周に設けるツバ付第３槽１３も、ツバ部に対してパッキンを挟んでツバ付第２槽用上槽板２０及びツバ付第３槽用上槽板２１を固定する。
【００３２】
このツバ付中央槽１６の外周に設けるツバ付第２槽１５との間に反射板付断熱材３２とを同時封入する真空部Ｂ３１及び真空隙間Ａ２６のみでもかなり保温効果があるが、さらにツバ付第２槽１５の外周外側にもう一槽であるツバ付第３槽１３により形成される真空隙間２７に同時に反射板付断熱材４５を封入して真空化することで一層の断熱効果が期待できる。
【００３３】
又、上方開口部からの、放熱防止の為には、上方煙突状スライド支持台１８がツバ付第３槽用上槽板２１との間に断熱材を挟んで固着され、湯口支持台８の外径に設けた外径用Ｏリング３６により、湯口支持台８が中に入っている間は、安全弁付フロート弁２２により下方部の湯面との間は、遮断された状態で大気と触れない構造により熱の放熱を防止出来る。
【００３４】
さらに、湯口支持台８の下方部のパイプヒーター３５との間に設けた中心部が水の抜けるようになった穴が設けられたシリコン笠状ツバ板３４が湯口支持台８の下方に固定させている為に、湯中に湯口支持台８が下がっている時、水道水を補充している時でもスムースに湯中に補給でき、湯口支持台８が上下している時でも、湯中の移動がスムーズに行なえ、かき回し棒でかき回しているような効果が出る特徴をもっている。
【００３５】
本発明は、これらの課題に対して、手段として現在使用中のガス給湯器や石油給湯器による湯沸し法の給湯器にたいしては、特許第４５７１７０３号により現在使用中のお風呂の給湯器と風呂桶との結合管やゴム結合管に対してポンプを接続して改造の工事費の低価格化をはかっている。
【００３６】
本発明でも、湯口支持台８を通って導かれた排湯用ホース２３からのお湯は、湯口支持台８が湯温検知付水位高さセンサー４０により湯中の必要な高さの時に水道水用ホース３７から逆止弁付減圧弁３３および水道用電磁バルブ３８を通って水道水を補充すると、減圧した水道圧で排湯用ホース２３からお湯２が取り出せれるもので、この時エアー用ホース１０よりエアーを投入しても同じ効果をもつもので、水道水にするか、又はエアー圧力を使用するかは、コントローラーによるユーザーの選択により行われる。
【００３７】
但し、水道水の水圧を利用する方法だと、湯中の最下方で水道水を投入すれば、ツバ付中央槽１６の中に、湯を含めて満水になるまで排湯用ホース２３からお湯２の取り出しは出来ず、タンクのどの高さ位置に湯口支持台８の位置を持っていくかで、下方の場合、冷水を汲んでしまうので、湯温センサー４３で測定しながら、湯口支持台８の高さをコントローラーでコントロールする必要がある。
【００３８】
一方、エアー用ホース１０でエアーを投入する方法では、エアーを必要とする欠点を持っているが、湯口支持台８の位置高さにより、湯中に排湯用ホース２３が適正な位置に有れば、コントローラーで位置だしすることで、湯口支持台８に設けられた排湯用ホース２３の口元が湯中にある間は、お湯を汲み上げられる。
【００３９】
以上、本発明では、本発明の課題解決の要素機構としては、第一としてツバ付中央槽１６の外周外側に、１重又は２重の真空槽を設ける共に、同時に真空隙間に断熱材を封入した構造である為、長時間保温構造の蓄熱構造で形成されている。
【００４０】
第２として、ツバ付中央槽１６及びその外周外側設けた１重または２重の外層との間で形成された同時に断熱材の封入された真空槽とで形成された全体構造が上向きで構成されている為に、湯口支持台８を湯中で上下すれば湯がかき回し効果で均一になるのは、課題の第６で記述した大気への放熱防止に効果がでて、タンク容量的にエネルギー分布が効率がよくなり設置面積も少なくなり装置も小さくできる。
【００４１】
第３として、空気中への放熱防止・伝熱防止及び放射・拡散現象を防止するために、伝熱防止では、出入口を上方一箇所にまとめ、放射・拡散現象を無くする為、特許第４５７１７０３号に記載されたように、ツバ付中央槽１６へのツバ付第２槽１５及びその外周外側へのツバ付第３槽１３で形成された真空部Ａ３０及び真空部Ｂ３１の上に真空隙間Ａ２６そして真空すきまＢ２７の各隙間に反射板付断熱材３２及び反射板付断熱材４５を同時に真空化封入する事で、万一真空漏れが発生しても、各槽の壁との間で反射・拡散・放射・伝熱放熱を防止できる。
【００４２】
第４としては、貯留槽としての機能であるタンクからの水漏れ防止は、上方開放形の構造及び３槽構造のステンレス槽であるからより一層防止できる。
第５としては、伝熱放熱の防止については、上方一箇所のみの開放形にすることで、湯口支持台８をタンク内から完全に隔離する事で防止できる。
【００４３】
第６としては、タンク内の湯の不均一により、上方部分のみの高温化による、下方冷熱化でのタンク壁の熱の不均一による内部の熱伝導の下方部への不均一な流れで、熱損失が起こる為、湯口支持台８による湯中への上下動作と取り付けられたシリコン笠形ツバ板３４及びパイプヒーター３５による湯中でのかき回し効果で狙い通り湯温の均一化が計れる。
【００４４】
第７としては、お湯の取り出し方法の多様化により、コントローラーによりユーザーの選択肢が幾多にも可能となる。
その１として、エアー用ホース１０により湯中に湯口台８があり、温度センサー４３が適当ならコントローラーによるエアー用ホース１０からの湯面の押し上げ効果で、排湯用ホース２３から排湯用ホース２３への汲み上げ作用が行なえる。
その２として、減圧した逆止弁付減圧弁３３を通った水道水が、水道用ホース３７から湯口支持台８の温度センサー４３により、温度の低い位置で、水道先端口元パイプ４４から水道水を供給することにより、タンク内が満水になれば、排湯用ホース２３から排湯ができる。
【００４５】
第８としては、浴槽１に投入するお湯２の必要量及びその他で使用する湯量の決められたものだけを、加熱貯湯するだけでよく、深夜電気温水器やエコキュートのような下方水のような部分まで不充分に加熱する必要は無いので、この事が、加熱のエネルギーの無駄をなくし、ＣＯ2の削減手段でもあるので、湯温検知付水位高さセンサー４０により決められた水量をユーザーの指定でコントローラーにより決定して、タンク内の湯温を狙い通りの湯温にパイプヒーター３５の加熱時間、湯口支持台８の位置高さ、及び湯温の均一化で対応出来る。
【００４６】
第９としては、従来は、破棄されていた入浴後のお湯２を残余のエネルギーとして利用する方法として、特許第４５７１７０３号で行なわれているセラミック膜フィルターケース５によるろ過でゴミ、カス、細菌の除去した浄水湯をろ過湯ホース６で供給することでも可能であるが、ユーザーがコントローラーで選択して行なえるもので、この場合水道水用ホース３７から投入される水道水は、タンク容量からの８０％以内とし、パイプヒーター３５で加熱後の湯の均一化時の湯の加水による湯温調整が出来るようにする必要があり、これは、水道水のみによるパイプヒーター３５による加熱の方法でも同様であるが、第１０の課題では、エコキュートや深夜電気温水器では、家屋のリフォームが必要になり現状、新築や改築を待つため普及が遅い。
【００４７】
以上のように、課題に対する手段は、従来、深夜電気温水器やエコキュートの欠点となる必要な温水のみを生産供給する事が困難である、下方からの水道水給水、上方からの熱湯取り出しによる構造的機能に起因するもので、タンク内を満水にしないと熱湯の取り出しが出来ない事が、上方の熱湯と下方の冷水との境界における中間熱湯の使用が不完全で熱効率を悪くする大きな要因である。
【発明の効果】
【００４８】
ツバ付中央槽１６の外周外側を断熱材を封入して同時に真空にする事で第２深夜電力の午前１時から午前６時までの５時間のみの加熱で以後午後７時頃までの１３時間後まで浴槽１の中に投入する４３℃持たせる事が可能となる利点効果がある。
【００４９】
ツバ付中央槽１６の中にお湯が有る間に、お湯を狙い通りの必要な温度に均一化する事で、入浴時の湯温・湯量が確保でき、ユーザーの選択でコントローラーによりろ過湯の使用か、あるいは、全部水道水によるお湯かあるいは、両方の使用なのかが選択出来ることで、余分の加熱によるエネルギーの無駄をなくして、必要な湯のみを加熱する事でＣＯ2の発生を抑える。
【００５０】
本発明では、家庭で必要な湯量のみを加熱する事で、従来のような熱水と冷水との境界水を加熱しない事で、不必要なエネルギーの消費を無くすることと共にパイプヒーター３５でのタンク内の湯温を決定してコントローラーに指定すれば均一なお湯が、供給される利点効果がある。
【図面の簡単な説明】
【００５１】
【図１】実施例１の浴槽１からツバ付中央槽１６までの断面側面図。
【図２】実施例１の上方部の開口部の詳細断面側面図。
【図３】実施例１の湯口支持台８の集中配管の断面上面図。
【発明を実施するための形態】
【００５２】
本発明は、ＣＯ2の削減を計る為に、消費するエネルギーを節約するために、お風呂の残り湯を再利用する方法と共に、使用するエネルギー源も夜間の第２深夜電力の５時間のみのしようを想定して、その為にも、蓄熱保温構造の徹底的な改良を計ると共に、製造したお湯のタンク内での均一化、使用するお湯のみを加熱する構造、お湯の温度を６５℃から９０℃の内、特に９０℃近くに上昇させ排湯用ホース２３の途中でモーター強弱作動式サーモスタット付混合栓で水道水と混合してお風呂の適温にして浴槽１に直接供給出来ることとで、特に高温域の８０℃以上の時には、水道水との混合湯でお湯２が、２倍にもなりタンク内で水道水を利用して均一化機能を利用してお風呂に供給する事も可能になる２例がある。
【実施例】
【００５３】
本発明の実施例１を図１及び図２、図３より説明する。
図１に示すように、浴槽１から外ガス釜２５の間をつなぐパイプに電動ポンプ３を介して、お湯２をくみ出して浴槽汲み上げホース４を介してセラミック膜フィルターケース５で超精密ろ過しながらろ過湯用ホース６で排出されたお湯は、湯口支持台８に多芯スパイラルチューブ５６を介して差し込まれ固定されており、同じく排湯用ホース２３及びエアー用ホース１０、水道用ホース３７が同様に設置されている。
【００５４】
セラミック膜フィルターケース５は、特許第３８２２５４３号及び登録第３１２３４５６号、登録第３１２３４７３号に示された様に、セラミックの基材の上にセラミックの薄膜を焼き付けた構造であり、このセラミック薄膜の極微小孔によりゴミや細菌、皮脂、ウィルスまで必要に応じて自在にセラミック膜フィルターで超精密ろ過して、繰り返して使用するために、前記の特許や実用新案に示されたように、フィルターケース内部に蓄えた、ろ過後液を内部からエアーと共に逆洗して表面のセラミック膜を逆洗する事で、フィルター表面に付着したゴミや細菌、皮脂、ウィルス等を、フィルター下方に設けた不織布製のバックフィルターに貯める構造である為に、繰り返して使用が可能となっている。
【００５５】
特に２４時間風呂で問題になった４０℃程度での湯温の場合、工業用フィルター内や配管内に大腸菌やジェネラウス菌等が繁殖する問題から、ろ過が完了したらセラミック膜フィルターケース５の内部に水や湯を残すことは、厳に止める為に、セラミック膜フィルターケース５の下方に設けるバックフィルターの下方バルブを開放してろ過液が無くなってもエアーを噴出させる事で管内や、フィルターを乾燥するように電気的に制御する。
【００５６】
この発明では、ツバ付き中央槽１６内に送り込んだお湯２がろ過後に、どのように送り込まれるかという問題と、送り込まれたお湯２が、ツバ付き中央槽１６内で、収納浄水湯２４として、放熱を防止して２４時間以上保温出来るかが重要であり、ツバ付き中央槽１６の中に設けた湯温検知付水位高さセンサー４０及び温度センサー４３により電気的に水位や温度を見て対応ができる。
【００５７】
この為、ツバ付き中央槽１６やその周囲外側に設けるツバ付き第２槽１５との間に出来る隙間である真空部Ａ３０とその中に封入された断熱材である反射板付きガラスウール３２とそのツバ付き第２槽１５の外周外側とツバ付き第３槽１３との間で形成する隙間の真空部Ｂ３１が、反射板付きガラスウール４５を封入して真空に保たれており、この断熱材の変わりにシリカ入りの真空断熱材（ＶＩＰ）等の新しい断熱材が有効的にあれば、使用可能であり、それぞれの壁部を形成するステンレスの壁との間で、万一にも真空漏れが発生した場合の対流現象やステンレス壁の反射やガラスウール反射板による反射現象で熱のふく射現象を防止するものであり、これは、下方に設けられた、３槽を形成する各槽に設けられた上端部にツバ部を設けることで、ツバ付き中央槽１６及びその外側のツバ付き第２槽１５、さらにその外側に設けられたツバ付き第３槽１３が、このツバ部に対応出来る上方に設けた３組のツバ付き上槽板がそれぞれパッキンを挟んでネジで結合出来る構造となっている。
【００５８】
図２に示すように、ツバ付中央槽１６のツバ部には、その下地に設けたステンレス板５３を介して、樹脂製のツバ付中央槽用上槽板１９に固定され、ツバ付第２槽２５のツバ部には、樹脂製のツバ付第２槽用上槽板２０が固定され、ツバ付第３槽１３のツバ部には、樹脂製のツバ付第３槽用上槽板２１が固定され、この３組の樹脂板の間には、中心穴部の上方の中央開口部２８を設ける為、各上槽板の間に、うすい断熱材Ａ７０を挟んで中央槽上槽支持用樹脂板６７及び第２槽上槽支持用樹脂板６８がうすい断熱材Ｂ７１を挟んで固定され、ツバ付第３槽用上槽板２１より、通しボルト７２でステンレス板５３との間で締め付け固定している。
【００５９】
上方中央開口部２８には、湯口支持台スライドシュウドウ部１７の下端に片持支持の安全弁付フロート弁２２が開閉自由に設けられており、湯口支持台８が、下降すると開放でき、上昇すると、閉じて安全弁付フロート弁がとじる事の出来る構造になっている。
【００６０】
ツバ付第３槽用上槽板２１の上面には、薄形断熱材６９を挟んで、上方煙突状スライド支持台１８が固定出来るようになっており、この中心部と上方中央開口部２８との間を湯口支持台８が、その外周に設けた外径用Ｏリング３６を介して上下を自由に移動出来る。
【００６１】
図３に示されているように、湯口支持台８の内部の中には、水検知センサー５７、排湯用ホース２３及びエアー用ホース１０、ろ過湯用ホース６、温度センサー４３設けられており、その中心部には、パイプヒーター３５の発熱部が、下面から飛び出す形で設けられ、このパイプヒーター３５と同じ長さを持った水道口元パイプ４４が設けられている為に、水検知センサー５７で水中に湯口支持台８の位置が有ることを検知して、温度センサー４３で湯温を測定しながら、必要に応じてパイプヒーター３５で加熱したり、水道先端口元パイプ４４４４から水道水を補充したりするものである。
【００６２】
この温度センサー４３で測定する湯温が一番低い所や、一番低部で水道先端口元パイプ４４から、水道水を補充すれば、タンク内部に上方部湯が満水になると、排湯用ホース２３から図１に示された逆止弁付減圧弁３３、水道用電磁バルブ３８を通じて減圧された水道水の水圧で排湯用ホース２３から途中にサーモスタット付混合栓５８を経由して排水一方向圧力バルブ３９を通って浴槽１に排湯投入されるものである。
【００６３】
一方、水道水の圧力を使用しない方法としては、湯口支持台８が下方に下がっている事で、湯面より図３の温度センサー４３及び排湯用ホース２３が湯面から充分下方に有ることを、コントローラーが確認後、適正な温度のお湯を排湯用ホース２３から得る為、エアー用ホース１０から水圧と同等程度の２〜３気圧の圧力で湯面を押す事で得られる。
【００６４】
この時、タンク内の水位を温度検知付水位高さセンサー４０により確認しながら、タンク内が満水でなく湯温が高いときは、水道先端口元パイプ４４より水道水を補充して、湯口支持台８を上下する事で、シリコン笠状ツバ板３４の作用で内部の湯が、かき回されて均一な湯温になるように、コントローラーで適正な処置が出来る。
【００６５】
この為にも、最初の湯量は、タンク容量の８０％〜９０％程度にしておくよう
に、コントローラーを設定して置くことが肝要で、本発明品のように、水圧で排湯用ホース２３からお湯を取り出す方法とエアー用ホース１０の空気圧により排湯用ホース２３からお湯２を得る方法とも、９０℃以下の均一な、高温湯および４５℃程度のお風呂適温の均一な、湯温の場合のどちらでも、可能であり、お風呂の湯温とタンク内の湯温との差が水道水の増量分としてお湯２として供給出来る。  
【００６６】
又、タンク下方の底部には、ツバ付中央槽１６の底部とツバ付第２槽１５との間には、シリカ入り真空断熱材Ａ６５を挟んで、下方台座Ａ５１が設けられ、ツバ付第２槽１５の底部とツバ付第３槽１３との間には、シリカ入り真空断熱材Ｂ６６を挟んで、下方台座Ｂ５２が設けられている為に、ツバ付中央槽１６のなかにお湯がはいっても、荷重に耐えられる構造となっている。
【００６７】
又、上方煙突状スライド支持台１８の内部を、湯口支持台８が上方に設けられたギャードモーター１４の回転により回転用ネジ棒５４により、上下用ナット５５を通じて上下出来る構造となっており、上方煙突状支持台１８の内部には、湯口支持台８の位置を検知する為に、最上方に上限スイッチ４６、中間部用に中間スイッチ、最下限に下限スイッチが設けられているために、湯口支持台８がコントローラーの指示でギャードモーター１４の正転・逆転で上下出来る構造となっている。
【００６８】
又、上方煙突状支持台１８の内部に収納された湯口支持台８の上方とギャードモータ１４との間には、スパイラル状になったチューブである多芯スパイラルチューブ５６が設けられ、図３の湯口支持台８の先端の、その内部を通って口元に設けられたエアー用ホース１０のホース、水道用ホース３７と水道用電磁バルブＢ３８及びその先端に取り付けられた水道先端口元パイプ４４のホース、排湯用ホース２３のホース、水検知センサー５７の電線、ろ過湯用ホース６のホース、温度センサー４３の電線、パイプヒーター３５の電線がチューブに結合収納され、伸縮自在になって外部に取り出されようになっている。
【００６９】
ツバ付第３槽１３の外部温度は、その内部に真空構造と同時に断熱材で覆われている為に、内部の温度に左右されない為、、コスト的に安い発泡スチロール２９やその他の断熱材で覆われて外気温に左右されないように工夫されている。
【産業上の利用可能性】
【００７０】
本発明の利用活用例としては、家庭のお風呂に利用する事は勿論であるが、産業用としても、水・あらゆる液体の高度な高温領域での、深夜電力の第２深夜電力蓄熱槽としての高度利用の道を開くものであり、今後日本だけでなく各国においても原子力での深夜電力の活用法として有用である。
【符号の説明】
【００７１】
１．浴槽
２．お湯
３．電動ポンプ
４．浴槽汲み上げ用ホース
５．セラミック膜フィルターケース
６．ろ過湯用ホース
７．エアー用バルブ
８．湯口支持台
９．地面固定用台
１０．エアー用ホース
１１．水道用電磁バルブＡ
１３．ツバ付き第３槽
１４．ギャードモーター
１５．ツバ付第２槽
１６．ツバ付中央槽
１７．湯口支持台スライドシュウドウ部
１８．上方煙突状スライド支持台
１９．ツバ付中央槽用上槽板
２０．ツバ付第２槽用上槽板
２１．ツバ付第３槽用上槽板
２２．安全弁付フロート弁
２３．排湯用ホース
２４．収納浄水湯
２５．外ガス釜
２６．真空隙間Ａ
２７．真空隙間Ｂ
２８．上方中央開口部
２９．発泡スチロール
３０．真空部Ａ
３１．真空部Ｂ
３２．反射板付ガラスウール
３３．逆止弁付減圧弁
３４．シリコン笠状ツバ板
３５．パイプヒーター
３６．外径用Ｏリング
３７．水道水用ホース
３８．水道用電磁バルブＢ
３９．排水一方向圧力バルブ
４０．湯温検知付水位高さセンサー
４３．温度センサー
４４．水道先端口元パイプ
４５．反射板付ガラスウール
４６．上限センサー
４７．中限センサー
４８．下限センサー
４９．空気抜用銅製パイプＡ
５０．空気抜用銅製パイプＢ
５１．下方台座Ａ
５２．下方台座Ｂ
５３．ステンレス板
５４．回転用ネジ棒
５５．上下用ナット
５６．多芯スパイラルチューブ
５７．水検知センサー
５８．モーター強弱作動式サーモスタット付混合栓
６５．シリカ入り真空断熱材Ａ
６６．シリカ入り真空断熱材Ｂ
６７．中央槽上槽支持用樹脂板．
６８．第２槽上槽支持用樹脂板
６９．薄形断熱材
７０．断熱材Ａ
７１．断熱材Ｂ
７２．通しボルト
【図１】
2012149814.tif 000003
【図２】
2012149814.tif 000004
【図３】
2012149814.tif 000005
【手続補正書】
【提出日】平成23年4月26日(2011.4.26)
【手続補正２】
【補正対象書類名】特許請求の範囲
【補正対象項目名】全文
【補正方法】変更
【補正の内容】
【特許請求の範囲】
【請求項１】
浴槽１から汲み上げたお湯２をセラミック膜フィルターケース５でろ過しながら、浴槽外に蓄える方式において、ツバ付中央槽１６の外周外側を反射複合材と断熱材３２と同時に真空隙間Ａ２６を持つ真空部Ａ３０を持ち、かぶさる形でツバ付第２槽１５が設けられ、このツバ付第２槽１５の外周外側を反射複合材と断熱材４５と同時に真空隙間Ｂ２７を持った真空部Ｂ３１がかぶさる形で３槽の各上端部の上端に設けられたツバ部に上槽板をパッキンを挟んで、それぞれネジで結合でき、ツバ付第３槽１３が設けられ、前記ツバ付中央槽１６及びツバ付第２槽１５そしてツバ付第３槽１３で構成された３槽の上槽部の各上端に設けられたツバ部に対応して、それぞれツバ付中央槽用上槽板１９及びツバ付第２槽用上槽板２０そしてツバ付第３槽用上槽板２１がパッキンを挟んで結合出来るようになっており、３槽の上端部に設けられたツバ部に対応した各槽に対して樹脂製の上槽板をパッキンを挟んで結合でき、上槽部板の中心に設けられた中心穴の前記上槽各板の間に、２枚の樹脂板を挟み込んで２箇所の真空隙間が形成出来るように２枚の樹脂板に前記一体形成後に、真空抜きが行なえるように上方中央開放部２８以外の２箇所に空気抜用銅製パイプＡ４９及び空気抜用銅製パイプＢ５０が設けられ、真空抜き後パイプをカシメて前述の二箇所の真空隙間を形成させ、前記上方中央開放部２８の上方部穴を塞ぐように片持支持のフロート弁２２が設けられている、全ての水道水投入部、湯の取り出し部を上方に設ける上方開放式の貯留槽を特徴とする蓄熱式給湯器。
【請求項２】
前述請求項１記載の蓄熱式給湯器において、本給湯器のツバ付中央槽１６の上方部に設ける湯口支持台８を上下する為に、ツバ付第３槽用上槽板２１に断熱材を挟んで上方煙突状スライド支持台１８が固定され内部を湯口支持台８が自由に上下出来るように、最上方にギャードモーター１４が回転用ネジ棒５４に連結され上下用ナット５５により正転・逆転で上下に移動でき、その下方に収納された多芯スパイラルチュ-ブ５６に必要な要素部品であるホース類及び電線類を内蔵させて湯口支持台８の動きに追随して伸宿できる事で外部に取り出せれる事を特徴とする蓄熱式給湯器。
【請求項３】
前述請求項１又は請求項２記載の蓄熱式給湯器において浴槽１の外に蓄えるツバ付中央槽１６の保温構造において、ツバ付中央槽１６に蓄える収納浄水湯２４の湯量を湯温検知付水位高さセンサー４０により、湯口支持台８の先端から離れた位置に設けたパイプヒーター３５による加熱部分と、そのそばに設けた水道先端口元パイプ４４により水道水の補充で収納浄水湯２４の湯面の高さを必要に応じてコントローラーで調整出来、湯口支持台８の先端部に設けたシリコン笠状つば板３４により上下する事で、かき回し効果により湯温が均一になる様に湯口支持台８の先端に設けた温度センサー４３及び水検知センサー５により観測しながら上下し、排湯用ホース２３の先端口元が湯中に在る事を確認して排湯の必要に応じてエアー用ホース１０からのエアー供給で湯面を押して排湯することを特徴とする蓄熱式給湯器。
【請求項４】
前記請求項１から請求項３の何れに記載の蓄熱式給湯器において、浴槽１へのお湯２の供給を水道用ホース３７からの水道水の水圧を利用する方式では、ツバ付中央槽１６の中の浄水湯２４の下方下端より水道先端口元パイプ４４により水道水を供給してツバ付中央槽１６を満水時、排湯出来ることを特徴とする蓄熱式給湯器。
【請求項５】
前述請求項３に記載の蓄熱式給湯器で浴槽１へのお湯２の供給を、最初にツバ付中央槽１６の容量の８０％から９０％以内に規制する事で、事前に水道水投入でツバ付中央槽１６内の湯温を均一化後必要湯温に出来る方法にするか、または、追加水道水の投入をせずに湯温を９０℃から６５℃の温度の任意湯温に設定して湯温を湯口支持台８の上下によるのかき回し効果で均一化処理後、ツバ付中央槽１６の下方からの水道水補充の水圧利用又はエアー圧による湯面圧縮による排湯用ホース２３からの排湯で途中にモーター強弱作動式サーモスタット付混合栓５８で水道水を付加して、必要湯温に調節して浴槽１へお湯２として供給出来ることをコントローラーで設定出来ることを特徴とする蓄熱式給湯器。
【手続補正３】
【補正対象書類名】明細書
【補正対象項目名】００１７
【補正方法】変更
【補正の内容】
【００１７】
特に、貯湯中の湯温に関しては一般的な魔法瓶でも、ステンレス内装やステンレス内装から派生するステンレス外装と上方部プラスチック蓋との間に接触伝熱が発生して外気への放熱により貯湯の低下が激しく、これを防止するすることが課題であり、本発明の上方部に設けた湯口支持台８の出入りする上方部に対してツバ付中央槽１６との間に設けるフロート弁２２だけで、開口部を通じてのみ大気との接触するという課題もある。
【手続補正４】
【補正対象書類名】明細書
【補正対象項目名】００２２
【補正方法】変更
【補正の内容】
【００２２】
本発明は、請求項１として、浴槽１から汲み上げたお湯２をセラミック膜フィルターケース５でろ過しながら、浴槽外に蓄える方式において、ツバ付中央槽１６の外周外側を反射複合材と断熱材３２と同時に真空隙間Ａ２６を持つ真空部Ａ３０を持ち、かぶさる形でツバ付第２槽１５が設けられ、このツバ付第２槽１５の外周外側を反射複合材と断熱材４５と同時に真空隙間Ｂ２７を持った真空部Ｂ３１がかぶさる形で３槽の各上端部の上端に設けられたツバ部に上槽板をパッキンを挟んで、それぞれネジで結合でき、ツバ付第３槽１３が設けられ、前記ツバ付中央槽１６及びツバ付第２槽１５そしてツバ付第３槽１３で構成された３槽の上槽部の各上端に設けられたツバ部に対応して、それぞれツバ付中央槽用上槽板１９及びツバ付第２槽用上槽板２０そしてツバ付第３槽用上槽板２１がパッキンを挟んで結合出来るようになっており、３槽の上端部に設けられたツバ部に対応した各槽に対して樹脂製の上槽板をパッキンを挟んで結合でき、上槽部板の中心に設けられた心穴の前記上槽各板の間に、２枚の樹脂板を挟み込んで２箇所の真空隙間が形成出来るように２枚の樹脂板に前記一体形成後に、真空抜きが行なえるように上方中央開放部２８以外の２箇所に空気抜用銅製パイプＡ４９及び空気抜用銅製パイプＢ５０が設けられ、真空抜き後パイプをカシメて前述の二箇所の真空隙間を形成させ、前記上方中央開放部２８の上方部穴を塞ぐように片持支持のフロート弁２２が設けられている、全ての水道水投入部、湯の取り出し部を上方に設ける上方開放式の貯留槽を特徴とする蓄熱式給湯器。
【手続補正５】
【補正対象書類名】明細書
【補正対象項目名】００２３
【補正方法】変更
【補正の内容】
【００２３】
請求項２として、前述請求項１記載の蓄熱式給湯器において、本給湯器のツバ付中央槽１６の上方部に設ける湯口支持台８を上下する為に、ツバ付第３槽用上槽板２１に断熱材を挟んで上方煙突状スライド支持台１８が固定され内部を湯口支持台８が自由に上下出来るように、最上方にギャードモーター１４が回転用ネジ棒５４に連結され上下用ナット５５により正転・逆転で上下に移動でき、その下方に収納された多芯スパイラルチュ-ブ５６に必要な要素部品であるホース類及び電線類を内蔵させて湯口支持台８の動きに追随して伸宿できる事で外部に取り出せれる事を特徴とする蓄熱式給湯器。
【手続補正６】
【補正対象書類名】明細書
【補正対象項目名】００２４
【補正方法】変更
【補正の内容】
【００２４】
請求項３として、前述請求項１又は請求項２記載の蓄熱式給湯器において浴槽１の外に蓄えるツバ付中央槽１６の保温構造において、ツバ付中央槽１６に蓄える収納浄水湯２４の湯量を湯温検知付水位高さセンサー４０により、湯口支持台８の先端から離れた位置に設けたパイプヒーター３５による加熱部分と、そのそばに設けた水道先端口元パイプ４４により水道水の補充で収納浄水湯２４の湯面の高さを必要に応じてコントローラーで調整出来、湯口支持台８の先端部に設けたシリコン笠状つば板３４により上下する事で、かき回し効果により湯温が均一になる様に湯口支持台８の先端に設けた温度センサー４３及び水検知センサー５により観測しながら上下し、排湯用ホース２３の先端口元が湯中に在る事を確認して排湯の必要に応じてエアー用ホース１０からのエアー供給で湯面を押して排湯することを特徴とする蓄熱式給湯器。
【手続補正７】
【補正対象書類名】明細書
【補正対象項目名】００２５
【補正方法】変更
【補正の内容】
【００２５】
請求項４として、  前記請求項１から請求項３の何れに記載の蓄熱式給湯器において、浴槽１へのお湯２の供給を水道用ホース３７からの水道水の水圧を利用する方式では、ツバ付中央槽１６の中の浄水湯２４の下方下端より水道先端口元パイプ４４により水道水を供給してツバ付中央槽１６を満水時、排湯出来ることを特徴とする蓄熱式給湯器。    
【手続補正８】
【補正対象書類名】明細書
【補正対象項目名】００２６
【補正方法】変更
【補正の内容】
【００２６】
請求項５として、前述請求項３に記載の蓄熱式給湯器で浴槽１へのお湯２の供給を、最初にツバ付中央槽１６の容量の８０％から９０％以内に規制する事で、事前に水道水投入でツバ付中央槽１６内の湯温を均一化後必要湯温に出来る方法にするか、または、追加水道水の投入をせずに湯温を９０℃から６５℃の温度の任意湯温に設定して湯温を湯口支持台８の上下によるのかき回し効果で全体湯温を必要な温度に処理後、ツバ付中央槽１６の下方からの水道水補充の水圧利用又はエアー圧による湯面圧縮による排湯用ホース２３からの排湯で途中にモーター強弱作動式サーモスタット付混合栓５８で水道水を付加して、必要湯温に調節して浴槽１へお湯２として供給出来ることをコントローラーで設定出来ることを特徴とする蓄熱式給湯器。
【手続補正９】
【補正対象書類名】明細書
【補正対象項目名】００３３
【補正方法】変更
【補正の内容】
【００３３】
又、上方開口部からの、放熱防止の為には、上方煙突状スライド支持台１８がツバ付第３槽用上槽板２１との間に断熱材を挟んで固着され、湯口支持台８の外径に設けた外径用Ｏリング３６により、湯口支持台８が中に入っている間は、フロート弁２２により下方部の湯面との間は、遮断された状態で大気と触れない構造により熱の放熱を防止出来る。
【手続補正１０】
【補正対象書類名】明細書
【補正対象項目名】００４１
【補正方法】変更
【補正の内容】
【００４１】
第３として、空気中への放熱防止・伝熱防止及び放射・拡散現象を防止するために、伝熱防止では、出入口を上方一箇所にまとめ、放射・拡散現象を無くする為、特許第４５７１７０３号に記載されたように、ツバ付中央槽１６へのツバ付第２槽１５及びその外周外側へのツバ付第３槽１３で形成された真空部Ａ３０及び真空部Ｂ３１の上に真空隙間Ａ２６そして真空すきまＢ２７の各隙間に反射複合材と断熱材３２及び反射複合材と断熱材４５を同時に真空化封入する事で、万一真空漏れが発生しても、各槽の壁との間で反射・拡散・放射・伝熱放熱を防止できる。
【手続補正１１】
【補正対象書類名】明細書
【補正対象項目名】００５７
【補正方法】変更
【補正の内容】
【００５７】
この為、ツバ付き中央槽１６やその周囲外側に設けるツバ付き第２槽１５との間に出来る隙間である真空部Ａ３０とその中に封入された断熱材である反射複合材と断熱材３２とそのツバ付き第２槽１５の外周外側とツバ付き第３槽１３との間で形成する隙間の真空部Ｂ３１が、反射複合材と断熱材４５を封入して真空に保たれており、この断熱材の変わりにシリカ入りの真空断熱材（ＶＩＰ）等の新しい断熱材が有効的にあれば、使用可能であり、それぞれの壁部を形成するステンレスの壁との間で、万一にも真空漏れが発生した場合の対流現象やステンレス壁の反射やガラスウール反射板による反射現象で熱のふく射現象を防止するものであり、これは、下方に設けられた、３槽を形成する各槽に設けられた上端部にツバ部を設けることで、ツバ付き中央槽１６及びその外側のツバ付き第２槽１５、さらにその外側に設けられたツバ付き第３槽１３が、このツバ部に対応出来る上方に設けた３組のツバ付き上槽板がそれぞれパッキンを挟んでネジで結合出来る構造となっている。
【手続補正１２】
【補正対象書類名】明細書
【補正対象項目名】００５９
【補正方法】変更
【補正の内容】
【００５９】
上方中央開口部２８には、湯口支持台スライドシュウドウ部１７の下端に片持支持のフロート弁２２が開閉自由に設けられており、湯口支持台８が、下降すると開放でき、上昇すると、閉じてフロート弁がとじる事の出来る構造になっている。
【手続補正１３】
【補正対象書類名】明細書
【補正対象項目名】００７１
【補正方法】変更
【補正の内容】
【００７１】
・  浴槽
・  お湯
・  電動ポンプ
・  浴槽汲み上げ用ホース
・  セラミック膜フィルターケース
・  浄水湯用ホース
・  エアー用バルブ
・  湯口支持台
・  地面固定用台
１０．エアー用ホース
１１．水道用電磁バルブＡ
１３．ツバ付き第３槽
１４．ギャードモーター
１５．ツバ付第２槽
１６．ツバ付中央槽
１７．湯口支持台スライドシュウドウ部
１８．上方煙突状スライド支持台
１９．ツバ付中央槽用上槽板
２０．ツバ付第２槽用上槽板
２１．ツバ付第３槽用上槽板
２２．フロート弁
２３．排湯用ホース
２４．収納浄水湯
２５．外ガス釜
２６．真空隙間Ａ
２７．真空隙間Ｂ
２８．上方中央開口部
２９．発泡スチロール
３０．真空部Ａ
３１．真空部Ｂ
３２．反射複合材と断熱材
３３．逆止弁付減圧弁
３４．シリコン笠状ツバ板
３５．パイプヒーター
３６．外径用Ｏリング
３７．水道水用ホース
３８．水道用電磁バルブＢ
３９．排水一方向圧力バルブ
４０．湯温検知付水位高さセンサー
４３．温度センサー
４４．水道先端口元パイプ
４５．反射複合材と断熱材
４６．上限センサー
４７．中限センサー
４８．下限センサー
４９．空気抜用銅製パイプＡ
５０．空気抜用銅製パイプＢ
５１．下方台座Ａ
５２．下方台座Ｂ
５３．ステンレス板
５４．回転用ネジ棒
５５．上下用ナット
５６．多芯スパイラルチューブ
５７．水検知センサー
５８．モーター強弱作動式サーモスタット付混合栓
６５．シリカ入り真空断熱材Ａ
６６．シリカ入り真空断熱材Ｂ
６７．中央槽上槽支持用樹脂板．
６８．第２槽上槽支持用樹脂板
６９．薄形断熱材
７０．断熱材Ａ
７１．断熱材Ｂ
７２．通しボルト
【手続補正書】
【提出日】平成23年4月27日(2011.4.27)
【手続補正２】
【補正対象書類名】特許請求の範囲
【補正対象項目名】全文
【補正方法】変更
【補正の内容】
【特許請求の範囲】
【請求項１】
浴槽１から汲み上げたお湯２をセラミック膜フィルターケース５でろ過しながら、浴槽外に蓄える方式において、ツバ付中央槽１６の外周外側を反射複合材と断熱材３２と同時に真空隙間Ａ２６を持つ真空部Ａ３０を持ち、かぶさる形でツバ付第２槽１５が設けられ、このツバ付第２槽１５の外周外側を反射複合材と断熱材４５と同時に真空隙間Ｂ２７を持った真空部Ｂ３１がかぶさる形で３槽の各上端部の上端に設けられたツバ部に上槽板をパッキンを挟んで、それぞれネジで結合でき、ツバ付第３槽１３が設けられ、前記ツバ付中央槽１６及びツバ付第２槽１５そしてツバ付第３槽１３で構成された３槽の上槽部の各上端に設けられたツバ部に対応して、それぞれツバ付中央槽用上槽板１９及びツバ付第２槽用上槽板２０そしてツバ付第３槽用上槽板２１がパッキンを挟んで結合出来るようになっており、３槽の上端部に設けられたツバ部に対応した各槽に対して樹脂製の上槽板をパッキンを挟んで結合でき、上槽部板の中心に設けられた中心穴の前記上槽各板の間に、２枚の樹脂板を挟み込んで２箇所の真空隙間が形成出来るように２枚の樹脂板に前記一体形成後に、真空抜きが行なえるように上方中央開放部２８以外の２箇所に空気抜用銅製パイプＡ４９及び空気抜用銅製パイプＢ５０が設けられ、真空抜き後パイプをカシメて前述の二箇所の真空隙間を形成させ、前記上方中央開放部２８の上方部穴を塞ぐように片持支持のフロート弁２２が設けられている、全ての水道水投入部、湯の取り出し部を上方に設ける上方開放式の貯留槽を特徴とする蓄熱式給湯器。
【請求項２】
前述請求項１記載の蓄熱式給湯器において、本給湯器のツバ付中央槽１６の上方部に設ける湯口支持台８を上下する為に、ツバ付第３槽用上槽板２１に断熱材を挟んで上方煙突状スライド支持台１８が固定され内部を湯口支持台８が自由に上下出来るように、最上方にギャードモーター１４が回転用ネジ棒５４に連結され上下用ナット５５により正転・逆転で上下に移動でき、その下方に収納された多芯スパイラルチューブ５６に必要な要素部品であるホース類及び電線類を内蔵させて湯口支持台８の動きに追随して伸宿できる事で外部に取り出せれる事を特徴とする蓄熱式給湯器。
【請求項３】
前述請求項１又は請求項２記載の蓄熱式給湯器において浴槽１の外に蓄えるツバ付中央槽１６の保温構造において、ツバ付中央槽１６に蓄える収納浄水湯２４の湯量を湯温検知付水位高さセンサー４０により、湯口支持台８の先端から離れた位置に設けたパイプヒーター３５による加熱部分と、そのそばに設けた水道先端口元パイプ４４により水道水の補充で収納浄水湯２４の湯面の高さを必要に応じてコントローラーで調整出来、湯口支持台８の先端部に設けたシリコン笠状つば板３４により上下する事で、かき回し効果により湯温が均一になる様に湯口支持台８の先端に設けた温度センサー４３及び水検知センサー５により観測しながら上下し、排湯用ホース２３の先端口元が湯中に在る事を確認して排湯の必要に応じてエアー用ホース１０からのエアー供給で湯面を押して排湯することを特徴とする蓄熱式給湯器。
【請求項４】
前記請求項１から請求項３の何れに記載の蓄熱式給湯器において、浴槽１へのお湯２の供給を水道用ホース３７からの水道水の水圧を利用する方式では、ツバ付中央槽１６の中の浄水湯２４の下方下端より水道先端口元パイプ４４により水道水を供給してツバ付中央槽１６を満水時、排湯出来ることを特徴とする蓄熱式給湯器。
【請求項５】
前述請求項３に記載の蓄熱式給湯器で浴槽１へのお湯２の供給を、最初にツバ付中央槽１６の容量の８０％から９０％以内に規制する事で、事前に水道水投入でツバ付中央槽１６内の湯温を均一化後必要湯温に出来る方法にするか、または、追加水道水の投入をせずに湯温を９０℃から６５℃の温度の任意湯温に設定して湯温を湯口支持台８の上下によるかき回し効果で均一化処理後、ツバ付中央槽１６の下方からの水道水補充の水圧利用又はエアー圧による湯面圧縮による排湯用ホース２３からの排湯で途中にモーター強弱作動式サーモスタット付混合栓５８で水道水を付加して、必要湯温に調節して浴槽１へお湯２として供給出来ることをコントローラーで設定出来ることを特徴とする蓄熱式給湯器。
【手続補正３】
【補正対象書類名】明細書
【補正対象項目名】００１７
【補正方法】変更
【補正の内容】
【００１７】特に、貯湯中の湯温に関しては一般的な魔法瓶でも、ステンレス内装やステンレス内装から派生するステンレス外装と上方部プラスチック蓋との間に接触伝熱が発生して外気への放熱により貯湯の低下が激しく、これを防止するすることが課題であり、本発明の上方部に設けた湯口支持台８の出入りする上方部に対してツバ付中央槽１６との間に設けるフロート弁２２だけで、開口部を通じてのみ大気との接触するという課題もある。
【手続補正４】
【補正対象書類名】明細書
【補正対象項目名】００２２
【補正方法】変更
【補正の内容】
【００２２】  本発明は、請求項１として、浴槽１から汲み上げたお湯２をセラミック膜フィルターケース５でろ過しながら、浴槽外に蓄える方式において、ツバ付中央槽１６の外周外側を反射複合材と断熱材３２と同時に真空隙間Ａ２６を持つ真空部Ａ３０を持ち、かぶさる形でツバ付第２槽１５が設けられ、このツバ付第２槽１５の外周外側を反射複合材と断熱材４５と同時に真空隙間Ｂ２７を持った真空部Ｂ３１がかぶさる形で３槽の各上端部の上端に設けられたツバ部に上槽板をパッキンを挟んで、それぞれネジで結合でき、ツバ付第３槽１３が設けられ、前記ツバ付中央槽１６及びツバ付第２槽１５そしてツバ付第３槽１３で構成された３槽の上槽部の各上端に設けられたツバ部に対応して、それぞれツバ付中央槽用上槽板１９及びツバ付第２槽用上槽板２０そしてツバ付第３槽用上槽板２１がパッキンを挟んで結合出来るようになっており、３槽の上端部に設けられたツバ部に対応した各槽に対して樹脂製の上槽板をパッキンを挟んで結合でき、上槽部板の中心に設けられた心穴の前記上槽各板の間に、２枚の樹脂板を挟み込んで２箇所の真空隙間が形成出来るように２枚の樹脂板に前記一体形成後に、真空抜きが行なえるように上方中央開放部２８以外の２箇所に空気抜用銅製パイプＡ４９及び空気抜用銅製パイプＢ５０が設けられ、真空抜き後パイプをカシメて前述の二箇所の真空隙間を形成させ、前記上方中央開放部２８の上方部穴を塞ぐように片持支持のフロート弁２２が設けられている、全ての水道水投入部、湯の取り出し部を上方に設ける上方開放式の貯留槽を特徴とする蓄熱式給湯器。
【手続補正５】
【補正対象書類名】明細書
【補正対象項目名】００２３
【補正方法】変更
【補正の内容】
【００２３】請求項２として、前述請求項１記載の蓄熱式給湯器において、本給湯器のツバ付中央槽１６の上方部に設ける湯口支持台８を上下する為に、ツバ付第３槽用上槽板２１に断熱材を挟んで上方煙突状スライド支持台１８が固定され内部を湯口支持台８が自由に上下出来るように、最上方にギャードモーター１４が回転用ネジ棒５４に連結され上下用ナット５５により正転・逆転で上下に移動でき、その下方に収納された多芯スパイラルチューブ５６に必要な要素部品であるホース類及び電線類を内蔵させて湯口支持台８の動きに追随して伸宿できる事で外部に取り出せれる事を特徴とする蓄熱式給湯器。
【手続補正６】
【補正対象書類名】明細書
【補正対象項目名】００２４
【補正方法】変更
【補正の内容】
【００２４】請求項３として、前述請求項１又は請求項２記載の蓄熱式給湯器において浴槽１の外に蓄えるツバ付中央槽１６の保温構造において、ツバ付中央槽１６に蓄える収納浄水湯２４の湯量を湯温検知付水位高さセンサー４０により、湯口支持台８の先端から離れた位置に設けたパイプヒーター３５による加熱部分と、そのそばに設けた水道先端口元パイプ４４により水道水の補充で収納浄水湯２４の湯面の高さを必要に応じてコントローラーで調整出来、湯口支持台８の先端部に設けたシリコン笠状つば板３４により上下する事で、かき回し効果により湯温が均一になる様に湯口支持台８の先端に設けた温度センサー４３及び水検知センサー５により観測しながら上下し、排湯用ホース２３の先端口元が湯中に在る事を確認して排湯の必要に応じてエアー用ホース１０からのエアー供給で湯面を押して排湯することを特徴とする蓄熱式給湯器。
【手続補正７】
【補正対象書類名】明細書
【補正対象項目名】００２５
【補正方法】変更
【補正の内容】
【００２５】  請求項４として、  前記請求項１から請求項３の何れに記載の蓄熱式給湯器において、浴槽１へのお湯２の供給を水道用ホース３７からの水道水の水圧を利用する方式では、ツバ付中央槽１６の中の浄水湯２４の下方下端より水道先端口元パイプ４４により水道水を供給してツバ付中央槽１６を満水時、排湯出来ることを特徴とする蓄熱式給湯器。
【手続補正８】
【補正対象書類名】明細書
【補正対象項目名】００２６
【補正方法】変更
【補正の内容】
【００２６】  請求項５として、前述請求項３に記載の蓄熱式給湯器で浴槽１へのお湯２の供給を、最初にツバ付中央槽１６の容量の８０％から９０％以内に規制する事で、事前に水道水投入でツバ付中央槽１６内の湯温を均一化後必要湯温に出来る方法にするか、または、追加水道水の投入をせずに湯温を９０℃から６５℃の温度の任意湯温に設定して湯温を湯口支持台８の上下によるかき回し効果で全体湯温を必要な温度に処理後、ツバ付中央槽１６の下方からの水道水補充の水圧利用又はエアー圧による湯面圧縮による排湯用ホース２３からの排湯で途中にモーター強弱作動式サーモスタット付混合栓５８で水道水を付加して、必要湯温に調節して浴槽１へお湯２として供給出来ることをコントローラーで設定出来ることを特徴とする蓄熱式給湯器。
【手続補正９】
【補正対象書類名】明細書
【補正対象項目名】００３３
【補正方法】変更
【補正の内容】
【００３３】  又、上方開口部からの、放熱防止の為には、上方煙突状スライド支持台１８がツバ付第３槽用上槽板２１との間に断熱材を挟んで固着され、湯口支持台８の外径に設けた外径用Ｏリング３６により、湯口支持台８が中に入っている間は、フロート弁２２により下方部の湯面との間は、遮断された状態で大気と触れない構造により熱の放熱を防止出来る。
【手続補正１０】
【補正対象書類名】明細書
【補正対象項目名】００４１
【補正方法】変更
【補正の内容】
【００４１】  第３として、空気中への放熱防止・伝熱防止及び放射・拡散現象を防止するために、伝熱防止では、出入口を上方一箇所にまとめ、放射・拡散現象を無くする為、特許第４５７１７０３号に記載されたように、ツバ付中央槽１６へのツバ付第２槽１５及びその外周外側へのツバ付第３槽１３で形成された真空部Ａ３０及び真空部Ｂ３１の上に真空隙間Ａ２６そして真空すきまＢ２７の各隙間に反射複合材と断熱材３２及び反射複合材と断熱材４５を同時に真空化封入する事で、万一真空漏れが発生しても、各槽の壁との間で反射・拡散・放射・伝熱放熱を防止できる。
【手続補正１１】
【補正対象書類名】明細書
【補正対象項目名】００５７
【補正方法】変更
【補正の内容】
【００５７】  この為、ツバ付き中央槽１６やその周囲外側に設けるツバ付き第２槽１５との間に出来る隙間である真空部Ａ３０とその中に封入された断熱材である反射複合材と断熱材３２とそのツバ付き第２槽１５の外周外側とツバ付き第３槽１３との間で形成する隙間の真空部Ｂ３１が、反射複合材と断熱材４５を封入して真空に保たれており、この断熱材の変わりにシリカ入りの真空断熱材（ＶＩＰ）等の新しい断熱材が有効的にあれば、使用可能であり、それぞれの壁部を形成するステンレスの壁との間で、万一にも真空漏れが発生した場合の対流現象やステンレス壁の反射やガラスウール反射板による反射現象で熱のふく射現象を防止するものであり、これは、下方に設けられた、３槽を形成する各槽に設けられた上端部にツバ部を設けることで、ツバ付き中央槽１６及びその外側のツバ付き第２槽１５、さらにその外側に設けられたツバ付き第３槽１３が、このツバ部に対応出来る上方に設けた３組のツバ付き上槽板がそれぞれパッキンを挟んでネジで結合出来る構造となっている。
【手続補正１２】
【補正対象書類名】明細書
【補正対象項目名】００５９
【補正方法】変更
【補正の内容】
【００５９】  上方中央開口部２８には、湯口支持台スライドシュウドウ部１７の下端に片持支持のフロート弁２２が開閉自由に設けられており、湯口支持台８が、下降すると開放でき、上昇すると、閉じてフロート弁がとじる事の出来る構造になっている。
【手続補正１３】
【補正対象書類名】明細書
【補正対象項目名】００７１
【補正方法】変更
【補正の内容】
【００７１】１．  浴槽
２．  お湯
３．  電動ポンプ
４．  浴槽汲み上げ用ホース
５．  セラミック膜フィルターケース
６．  浄水湯用ホース
７．  エアー用バルブ
８．  湯口支持台
９．  地面固定用台
１０．エアー用ホース
１１．水道用電磁バルブＡ
１３．ツバ付き第３槽
１４．ギャードモーター
１５．ツバ付第２槽
１６．ツバ付中央槽
１７．湯口支持台スライドシュウドウ部
１８．上方煙突状スライド支持台
１９．ツバ付中央槽用上槽板
２０．ツバ付第２槽用上槽板
２１．ツバ付第３槽用上槽板
２２．フロート弁
２３．排湯用ホース
２４．収納浄水湯
２５．外ガス釜
２６．真空隙間Ａ
２７．真空隙間Ｂ
２８．上方中央開口部
２９．発泡スチロール
３０．真空部Ａ
３１．真空部Ｂ
３２．反射複合材と断熱材
３３．逆止弁付減圧弁
３４．シリコン笠状ツバ板
３５．パイプヒーター
３６．外径用Ｏリング
３７．水道水用ホース
３８．水道用電磁バルブＢ
３９．排水一方向圧力バルブ
４０．湯温検知付水位高さセンサー
４３．温度センサー
４４．水道先端口元パイプ
４５．反射複合材と断熱材
４６．上限センサー
４７．中限センサー
４８．下限センサー
４９．空気抜用銅製パイプＡ
５０．空気抜用銅製パイプＢ
５１．下方台座Ａ
５２．下方台座Ｂ
５３．ステンレス板
５４．回転用ネジ棒
５５．上下用ナット
５６．多芯スパイラルチューブ
５７．水検知センサー
５８．モーター強弱作動式サーモスタット付混合栓
６５．シリカ入り真空断熱材Ａ
６６．シリカ入り真空断熱材Ｂ
６７．中央槽上槽支持用樹脂板．
６８．第２槽上槽支持用樹脂板
６９．薄形断熱材
７０．断熱材Ａ
７１．断熱材Ｂ
７２．通しボルト